(57)【要約】【課題】布帛の表裏の識別を行うことが可能な布製品を提供する。【解決手段】布帛２２と、布帛２２の裏面２２Ａに設けられる無色透明なマーク３０と、を備えるシートカバー２０であって、マーク３０は、マーク３０に対して可視光以外の光を照射することでマーク３０の存在を確認することが可能な構成であり、可視光以外の光を照射してマーク３０の存在を確認することで、マーク３０が配されている側が布帛２２の裏面２２Ａであることを確認することができる。また、マーク３０は無色透明であるため目視されることがなく、例えば、布帛２２の表側（意匠面側）から透けて視えることがないため、布帛の意匠性が低下する事態を抑制できる。【選択図】図３
2019206778.tif 000002
【特許請求の範囲】
【請求項１】
布帛と、
前記布帛の裏面に設けられる無色透明なマークと、を備え、
前記マークは、前記マークに対して可視光以外の光を照射することで前記マークの存在を確認することが可能な構成である布製品。
【請求項２】
前記マークは、紫外光が照射されることで可視領域の波長を有する蛍光を発する請求項１に記載の布製品。
【請求項３】
前記布帛における表面及び裏面の色差をＸとし、前記布帛における表面及び裏面の光沢差をＹとした場合において、
以下の式（１）を満たす請求項１又は請求項２に記載の布製品。
Ｙ≦−０．９３Ｘ＋２．６１・・・・（１）
【請求項４】
一対の前記布帛を少なくとも備え、
前記一対の前記布帛のうち一方の布帛は、表裏反転した際に、他方の布帛と同形状をなす請求項１から請求項３のいずれか１項に記載の布製品。
【発明の詳細な説明】
【技術分野】
【０００１】
本明細書で開示される技術は、布製品に関する。
【背景技術】
【０００２】
従来、布製品として、例えば特許文献１に記載のものが知られている。特許文献１には、布製品として車両用のシートカバーが記載されている。このようなシートカバーは、複数枚の布帛を縫製することで構成されている。
【先行技術文献】
【特許文献】
【０００３】
【特許文献１】特開２０１７−１４０９０９号公報
【発明の概要】
【発明が解決しようとする課題】
【０００４】
布帛については、その表裏で意匠や耐久性等が相違する場合がある。このため、布帛を縫製する際には、布帛の表裏を識別して縫製を行うことが求められる。しかしながら、布帛によっては、目視によって表裏の識別を行うことが困難なものがあり、表裏の識別をより確実に行うことが可能な構成が求められている。
【０００５】
本明細書で開示される技術は上記のような事情に基づいて完成されたものであって、布帛の表裏の識別を行うことが可能な布製品を提供することを目的とする。
【課題を解決するための手段】
【０００６】
上記課題を解決するための手段として、本明細書で開示される技術は、布帛と、前記布帛の裏面に設けられる無色透明なマークと、を備え、前記マークは、前記マークに対して可視光以外の光を照射することで前記マークの存在を確認することが可能な構成であることに特徴を有する。可視光以外の光を照射してマークの存在を確認することで、マークが配されている側が布帛の裏面であることを確認することができる。また、マークは無色透明であるため目視されることがなく、例えば、布帛の表側（意匠面側）から透けて視えることがないため、布帛の意匠性が低下する事態を抑制できる。また、布帛の裏面にマークを設けるため、マーク施工の影響が表面（意匠面）に現れ難く、意匠性が低下する事態を抑制できる。また、仮に布帛の表面にマークを設けた場合には、可視光以外の光が表側から照射された場合には、マークの存在が確認されてしまい意匠性が低下する事態が懸念される。布帛の裏面にマークを設けることで、可視光以外の光が表側から照射された場合であっても、マークの存在は確認され難く、好適である。
【０００７】
また、前記マークは、紫外光が照射されることで可視領域の波長を有する蛍光を発するものとすることができる。マークからの蛍光を目視することで容易にマークの存在を確認することができる。
【０００８】
また、前記布帛における表面及び裏面の色差をＸとし、前記布帛における表面及び裏面の光沢差をＹとした場合において、以下の式（１）を満たすものとすることができる。
Ｙ≦−０．９３Ｘ＋２．６１・・・・（１）
布帛において表裏の色差及び光沢差はそれぞれ小さい程、表裏の識別が困難となる。本願発明者によれば、上記式（１）を満たす場合には、目視による表裏の識別が特に困難であることが見出された。このため上記式（１）を満たす布帛についてマークを備えることはより好適である。
【０００９】
また、一対の前記布帛を少なくとも備え、前記一対の布帛のうち一方の布帛は、表裏反転した際に、他方の布帛と同形状をなすものとすることができる。上記構成では、一方の布帛の表裏を逆にすることで他方の布帛と同じ形状となる。このため、仮に布帛の表裏が識別できないと、一方の布帛を縫製すべき箇所に間違えて他方の布帛を縫製してしまう事態が懸念される。上記布帛によれば、マークを備えることで布帛の表裏の識別を確実に行うことができるため、このような間違えを抑制することができる。
【発明の効果】
【００１０】
本明細書で開示される技術によれば、布帛の表裏の識別を行うことが可能な布製品を提供することができる。
【図面の簡単な説明】
【００１１】
【図１】車室内を車両前方から見た図
【図２】シートカバーを構成する布帛の一部を示す図
【図３】布帛にマークを形成するためのローラ捺染工程を示す図
【図４】分光測色計の測定原理を示す図
【図５】試料１〜６について、色差及び光沢差の測定結果と表裏の識別可否を示す図表
【図６】試料１〜６について、色差及び光沢差を測定した測定結果を示すグラフ
【発明を実施するための形態】
【００１２】
本発明の一実施形態を図１から図６によって説明する。図１は、車室１０内を車両前方から見た図である。車室１０は、図１に示すように、フロアパネル１１、ルーフパネル１２及び車両ドア１３，１３等によって囲まれた空間である。なお、図１の左側が車両右側であり、図１の右側が車両左側である。車室１０内には、２つのシート１４，１４が、車幅方向に並ぶ形でフロアパネル１１上に設置されている。本実施形態では、布製品としてシート１４が備えるシートカバー２０を例示する。
【００１３】
シートカバー２０（表皮材）は、所定の形状に裁断された複数の布帛を縫製することで構成されている。シートカバー２０を構成する布帛としては、例えば天然繊維又は合成繊維からなる織物、編物、不織布などを例示することができる。シートカバー２０を構成する布帛の一部を図２に示す。シートカバー２０は、布帛２１と、一対の布帛２２，２３と、を少なくとも備える。布帛２１は、シート１４のうち、シートバック１５の後面に対応するものであり、一対の布帛２２，２３は、シートバック１５における左右一対のカマチ部に対応するものである。布帛２２は、布帛２１側の側端部２４において、布帛２１の側端部２６に対して縫製され、布帛２３は、布帛２１側の側端部２５において、布帛２１の側端部２７に対して縫製される。布帛２１は、左右対称な形状をなしている。また、一対の布帛２２，２３は、布帛２１（ひいてはシート１４）の車幅方向における中心軸Ｌ１を中心として左右対称な形状をなしている。つまり、一対の布帛２２，２３のうち一方の布帛２２は、表裏反転した際に、他方の布帛２３と同形状をなすものとされる。
【００１４】
ここで、各布帛２１，２２，２３の各裏面には、裏面であることを識別するためのマーク３０（図３参照）が設けられている。なお、布帛の裏面とは、シートカバー２０において意匠面と反対側の面である。図３に布帛の裏面にマーク３０を捺染するための捺染工程を示す。図３では、布帛として、布帛２２を例示している。マーク３０は、布帛２２の裏面２２Ａにおいて所定の領域に形成される。マーク３０は、例えば、無色透明な蛍光染料によって構成されており、紫外光が照射されることで可視領域の波長を有する蛍光を発する構成となっている。つまり、マーク３０は、マーク３０に対して可視光以外の光を照射することでマーク３０の存在を確認することが可能な構成となっている。
【００１５】
マーク３０は、例えば、図３に示すように、ローラ４０を用いたローラ捺染によって形成することができる。ローラ４０の表面には、凹部４１が形成されており、凹部４１には蛍光染料４２が充填される構成となっている。布帛２２をスライド移動させ、布帛２２の裏面２２Ａにローラ４０の表面を接触させることで、蛍光染料４２が裏面２２Ａに捺染され、マーク３０が形成される。蛍光染料４２は、例えば、ローラ４０に内蔵されており、ローラ４０の内部から各凹部４１に供給される。なお、蛍光染料４２は、ローラ４０の外部から凹部４１に供給されてもよい。
【００１６】
なお、マーク３０を構成する蛍光染料４２としては、例えば、ＣＩナンバー：ディスパースイエロー８２のクマリン色素を例示することができるが、これに限定されない。また、マーク３０を構成する材料としては、蛍光染料の他、蛍光増白剤、蛍光顔料や蓄光顔料等を用いることができる。なお、蛍光増白剤としては、ビス（トリアジニルアミノ）スチルベンジスルホン酸誘導体を例示することができ、蓄光顔料としては、アルミン酸ストロンチウムを例示することができるが、これに限定されない。また、マーク３０としては、紫外線が照射されることで変色するフォトクロミック化合物が含有されたものを用いてもよい。マーク３０の形状としては、ドット状やストライプ状をなすものを例示することができるが、これに限定されない。また、マーク３０を布帛２２の裏面２２Ａの全面に設けることで、裏面２２Ａのいずれかの箇所に紫外線を照射することでマーク３０の存在を確認することができ、好適である。なお、マーク３０を構成するドットやストライプの間隔は、所定の形状に裁断された布帛の大きさに応じて適宜変えることができ、例えば布帛が小さい場合には、間隔を狭くし、布帛が大きい場合には、間隔を広くすることができる。
【００１７】
また、マーク３０は、赤外線を照射することで、その存在を確認可能な構成としてもよい。具体的には、マーク３０を構成する材料として、布帛２２に比して赤外線の反射率が高い材質（例えば酸化チタン等）又は赤外線の吸収率が高い材質を用いてもよい。この場合には、赤外線をマーク３０に照射しつつ、赤外線カメラによってマーク３０を撮影し、マーク３０と、その周辺部分との赤外線分布の違いを検出することで、マーク３０の存在を確認することができる。なお、マーク３０を形成する方法は、ローラ捺染に限定されない。マーク３０を形成する方法としては、スクリーン捺染、転写捺染、インクジェット、スプレー等を例示することができる。
【００１８】
ところで、本実施形態のマーク３０は、目視による表裏の識別が困難な布帛に対して付与するとより効果的である。布帛の表裏の識別は、表裏の色差及び光沢差がそれぞれ少ない程困難となる。本願発明者は、布帛として図５に示す試料１〜６を準備し、試料１〜６について布帛の表裏の色差及び光沢差を測定すると共に、目視による表裏の識別の可否を判定する試験を実施した。この試験結果を図５及び図６に示す。
【００１９】
また、布帛において表裏の色差及び光沢差は、図４に示すような分光測色計５０を用いて測定した。分光測色計５０は、積分球５１と、照明５２と、受光部５３と、を備え、ＳＣＩ方式によって色差及び光沢差を測定することができるものを使用した。試料１〜６について、色差及び光沢差を測定した測定結果を図５に示す。なお、図５に示す色差ΔＥ＊ａｂは、以下の式（１）によって定義され、図５に示す光沢差（以下の説明ではＧＵＤと呼ぶ）は以下の式（２）によって定義されるものである。各試料１〜６は、一辺が５０ｍｍの正方形状をなしており、分光測色計５０による測定範囲は、直径８ｍｍ以下である。また、図５の測定結果は、平面視において９０°ずつ試料を回転させることで同じ測定範囲について４回測定を行った測定値の平均である。なお、本実施形態では、分光測色計５０としてＣＭ−７００ｄ（コニカミノルタ製）を用いて測定を行った。下記式（１）において、試料表面のＬ＊ａ＊ｂ＊値が（Ｌ＊１，ａ＊１，ｂ＊１）であり、試料裏面のＬ＊ａ＊ｂ＊値が（Ｌ＊２，ａ＊２，ｂ＊２）である。また、下記式（２）において、光沢の単位は、ＧＵ（Ｇｌｏｓｓ  Ｕｎｉｔ）である。
色差ΔＥ＊ａｂ＝√（（Ｌ＊２−Ｌ＊１）２＋（ａ＊２−ａ＊１）２＋（ｂ＊２−ｂ＊１）２）・・・・（１）
光沢差ＧＵＤ＝｜（試料表面の光沢）−（試料裏面の光沢）｜・・・・（２）
【００２０】
また、図５の識別可否は、各試料１〜６について、３人の試験者が目視によって表裏の識別を行った結果である。図５では試験者全員が表裏の識別ができた試料に〇を付してあり、試験者全員が表裏の識別ができなかった試料に×を付している。また、図５の△は、表裏の識別ができた試験者と識別できなかった試験者の双方が存在した試料である。つまり、図５の識別可否で〇を付した試料は、表裏の識別が可能な試料であり、×を付した試料は、表裏の識別が目視によって不可能な試料であると言うことができる。また、識別可否で△を付した試料は、表裏の識別の可否が試験者によって相違することから表裏の識別が困難な試料であると言える。
【００２１】
図６は、図５の色差及び光沢差の測定結果をグラフにしたものである。図６の横軸が色差ΔＥ＊ａｂ（＝Ｘ）であり、縦軸が光沢差ＧＵＤ（＝Ｙ）である。図５及び図６によれば、△が付された２つの試料（Ｎｏ２及びＮｏ４）を基準として、〇を付した試料（Ｎｏ６）と、×を付した試料（Ｎｏ１，Ｎｏ３，Ｎｏ５）とが区分けされている。このことから、図６において、２つの試料（Ｎｏ２及びＮｏ４）に対応する２点を通る直線Ｌ２（Ｙ＝−０．９３Ｘ＋２．６１）を表裏の識別に係る境界線と考えることができる。つまり、布帛における表面及び裏面の色差ΔＥ＊ａｂをＸとし、布帛における表面及び裏面の光沢差ＧＵＤをＹとした場合において、以下の式（３）を満たす布帛は、表裏の識別が特に困難な布帛であると考えることができ、このような布帛についてマーク３０を付与するとより好適である。
Ｙ≦−０．９３Ｘ＋２．６１・・・・（３）
【００２２】
次に本実施形態の効果について説明する。本実施形態では、可視光以外の光を照射してマーク３０の存在を確認することで、マーク３０が配されている側が布帛２２の裏面２２Ａであることを確認することができる。また、マーク３０は無色透明であるため目視されることがなく、例えば、布帛２２の表側（意匠面側）から透けて視えることがないため、布帛２２の意匠性が低下する事態を抑制できる。また、布帛２２の裏面２２Ａにマーク３０を設けるため、マーク３０施工時の影響が表面（意匠面）に現れ難く、意匠性が低下する事態を抑制できる。また、仮に布帛２２の表面にマーク３０を設けた場合には、可視光以外の光が意匠面側から照射された場合には、マーク３０の存在が確認されてしまい意匠性が低下する事態が懸念される。布帛２２の裏面２２Ａにマーク３０を設けることで、可視光以外の光が意匠面側から照射された場合であっても、マーク３０の存在は確認され難く、好適である。
【００２３】
また、マーク３０は、紫外光が照射されることで可視領域の波長を有する蛍光を発する。マーク３０からの蛍光を目視することで容易にマーク３０の存在を確認することができるため、センサを備える必要がない。
【００２４】
また、一対の布帛２２，２３を少なくとも備え、一対の布帛２２，２３のうち一方の布帛２２は、表裏反転した際に、他方の布帛２３と同形状をなす。上記構成では、一方の布帛２２の表裏を逆にすることで他方の布帛２３と同じ形状となる。このため、仮に布帛２２，２３の表裏が識別できないと、一方の布帛２２を縫製すべき箇所に間違えて他方の布帛２３を縫製してしまう事態が懸念される。布帛２２，２３がマーク３０を備えることで布帛２２，２３の表裏の識別を確実に行うことができるため、このような間違えを抑制することができる。つまり、シートカバー２０のように対称形状をなす一対の布帛２２，２３を備える布製品に対してマーク３０を付与することはより好適である。
【００２５】
また、仮に可視光によって目視可能なマークを布帛に付与する場合には、布帛の一部にマークを付け、意匠性に影響を与えないようにすることが求められる。この場合、マークのサイズや形成領域が小さくなってしまい目視し難い。これに対して、無色透明のマーク３０であれば、意匠性に与える影響が小さいことから、マークのサイズや形成領域を大きくすることが可能であり、マークを確認することが容易となる。
【００２６】
また、可視光によって目視可能なマークを布帛に付与した場合には、布帛が低目付であると、布帛の裏面にあるマークが表側から透けてみえる場合がある。このため、本実施形態のマーク３０は、低目付（例えば、目付が３００ｇ／ｍ２以下）の布帛に付与するとより好適である。
【実施例】
【００２７】
以下、実施例に基づいて本発明を更に詳細に説明する。なお、本発明はこれらの実施例により何ら限定されるものではない。
【００２８】
＜実施例１＞
図５に示す試料Ｎｏ３（表裏の識別ができなかった布帛）の裏面に、ＡＲ−ＢＲＯＷＮ製ＤａｙＧｌｏの蛍光染料Ｄ−１５０による１ｍｍサイズのドット柄のマークを印刷し、その後、１５０℃で布帛を加熱して蛍光染料を定着させたものを実施例１の布帛とした。なお、ドット柄の印刷は図３のローラ４０を用いて行った。
【００２９】
＜実施例２＞
紫外線発色インク（水性、青色発色）を染み込ませたロール状のスタンプを用いて、試料Ｎｏ３の裏面にストライプ柄のマークを印刷したものを実施例２の布帛とした。なお、ストライプ柄の印刷は、巻き返し機にセットされた状態の布帛に対して行い、ストライプ柄の間隔は、布帛のロール方向において５０ｍｍ間隔とした。
【００３０】
実施例１及び実施例２の各布帛に対して３人の試験者によって下記試験１〜３を行った。
（試験１）
試験１では、試験者は可視光下において実施例１、２の各両面を目視した。この場合には試験者全員がマークを視認することがなかった。
（試験２）
試験２では、試験者は実施例１、２の各布帛の裏面に紫外線を照射した状態で当該裏面を目視した。なお、紫外線の照射は、ＮＥＣ社製のＦＬ２０ＳＢＬブラックライトを用いて行った。この場合には、紫外線の照射に伴って発光したマークを試験者全員が視認することができた。
（試験３）
試験３では、試験者は、実施例１、２の各布帛の表面に紫外線を照射した状態で、当該表面を目視した。この場合には、布帛の裏面にあるマークが表側から透けて視えないことが試験者全員によって確認された。
上記試験１〜３によれば、可視光下又は布帛の表面に紫外線を照射した際にはマークが視認されることがないため意匠性が低下することがなく、布帛の裏面に紫外線を照射した際にはマークが視認されることで布帛の表裏を識別可能であることが確認できた。
【００３１】
＜他の実施形態＞
本発明は上記記述及び図面によって説明した実施形態に限定されるものではなく、例えば次のような実施形態も本発明の技術的範囲に含まれる。
（１）上記実施形態では、布製品としてシートカバーを例示したが、これに限定されない。布製品は、表裏の識別が求められる布帛を備えたものであればよい。
（２）布帛の形状は上記実施形態で例示したものに限定されず、適宜変更可能である。
【符号の説明】
【００３２】
２０…シートカバー（布製品）、２１…布帛、２２…布帛（一方の布帛）、２２Ａ…布帛の裏面、２３…布帛（他方の布帛）、３０…マーク
【図１】
2019206778.tif 000003
【図２】
2019206778.tif 000004
【図３】
2019206778.tif 000005
【図４】
2019206778.tif 000006
【図５】
2019206778.tif 000007
【図６】
2019206778.tif 000008